(57)【要約】【課題】  小分け販売に使用されるカップへの着脱がきわめて容易で、カップの把手として、吊下げ具として、さらには店頭におけるポップとしても使用でき、意匠的効果も優れたカップ用キャリアを提供する。【解決手段】  打ち抜きによって形成されるカップ用キャリア１であって、カップ挿入部２を有するキャリア主体３と、カップ挿入部２の相対する縁部外側にそれぞれ折れ線６，６を介して付設される面板４，４と、各面板４，４の他方の縁部に、それぞれ折れ線７，７を介して付設され、かつ両側縁部の立上り部に係着用突起９，９が形成された把手部材８，８と、把手部材８，８のないカップ挿入部２の相対する縁部外側に、それぞれ折れ線１０，１０を介して付設され、かつ前記係着用突起９，９と係合するスリット１２，１２が形成された面板係着部５，５からなる。【選択図】      図１
2014009032.tif 000002
【特許請求の範囲】
【請求項１】
打ち抜きによって形成されるカップ用キャリアであって、
カップ挿入部を有するキャリア主体と、
前記カップ挿入部の相対する縁部外側に、それぞれ折れ線を介して付設される面板と、
前記各面板の他方の縁部に、それぞれ折れ線を介して付設され、かつ両側縁部の立上り部に係着用突起が形成された把手部材と、
前記把手部材のないカップ挿入部の相対する縁部外側に、それぞれ折れ線を介して付設され、かつ前記係着用突起と係合するスリットが形成された面板係着部とからなること
を特徴とするカップ用キャリア。
【請求項２】
前記カップ挿入部は、
角型環状もしくはリング状であること
を特徴とする請求項１に記載のカップ用キャリア。
【請求項３】
前記キャリア主体は、
その内周縁に、文字や模様など表示するためのフラップが付設されていること
を特徴とする請求項１に記載のカップ用キャリア。
【請求項４】
前記突起状の係着用突起は、
前記把手部材の左右の立上り部を、それぞれ内側に傾斜させて傾斜面を形成し、各傾斜面の一部を切欠いて形成されていること
を特徴とする請求項１に記載のカップ用キャリア。
【請求項５】
前記各面板は、
各面板を合わせることによって、適用せんとするカップの開口部全面を覆うことができるよう構成されていること
を特徴とする請求項１に記載のカップ用キャリア。
【請求項６】
前記各面板に付設される把手部材は、
同一形状であるか、もしくはその形状や大きさが異なっていること
を特徴とする請求項１に記載のカップ用キャリア。
【請求項７】
前記キャリア主体は、
角型環状からなるものであって、前記キャリア主体の一内側縁に沿って折れ線を介してフラップが一体的に付設され、このフラップをスプーン保持部としたこと
を特徴とする請求項１に記載のカップ用キャリア。
【請求項８】
前記把手部材は、
ディスプレー用又は手提げ用もしくは紐挿通用の透孔が形成されていること
を特徴とする請求項１に記載のカップ用キャリア。
【発明の詳細な説明】
【技術分野】
【０００１】
この発明は、店頭で小分け販売される商品、例えば、スナック食品を収納した包装用容器を、手軽に持ち運びすることのできるカップ用キャリアに関するものである。
【背景技術】
【０００２】
ファーストフード店、コンビニエンスストア、アミューズセンターの売店、さらには繁華街における菓子店などにおいては、鳥の空揚げやポップコーンなどのスナック食品や、アイスクリームやプリン、ゼリーなどの流動性を有する菓子類、さらにはジュースやコーラなどの各種の飲料の販売に際し、紙製もしくは樹脂製の筒状あるいは皿状の包装用容器（以下、これらを総称して「カップ」と云う。）が一般的に使用されている。
【０００３】
かかるスナック食品や流動性を有する菓子類、飲料を収納するためのカップは、多くの場合、カップに蓋をすることなく顧客に手渡される。
しかしながら、前記内容物の保護や飲料などのカップからの漏れを防止するため、必要に応じて、カップに蓋を被せ、さらにはカップに把手を付けて販売されることもある。
【０００４】
例えば、実開平０３−８４７１３号公報（特許文献１）においては、有底容器本体の開口部に外周向きに屈曲片（フランジ）を一体的に形成し、このフランジの上面に、外周縁の相対する部位に一対の起伏する持手片を形成したリング状の鍔片を固定したもので、使用するとき、前記鍔片の外側に設けられた一対の持手片を立ち上がらせ、持手付きのカップとすることが開示されている。
なお、前記リング状の鍔片を形成する際に生じる円盤は、前記カップの開口部を閉止する蓋として使用されるものである。
【０００５】
一方、実公平０２−１２１７８号公報（特許文献２）には、弾性板紙を用いて構成する手提げ式容器用紙蓋が提案されている。
この手提げ式容器用紙蓋は、小分けされた製品を収納販売するカップではなく、一般的な紙容器を構成する容器本体の、口部に着脱可能な蓋体の一部を形成する天板の最上板に、一対の持手を切起し可能に配置し、必要に応じて前記一対の持手を起立させ、これを用いて容器を運ぶことを開示している。
なお、この特許文献２には、その第５欄に、天板より起立させて用いる持手を、トナカイやパンダの如き動物、あるいは収納商品に関連する意匠に似せることによって、紙容器の装飾効果を一段と高めることができる、ということも開示している。
【０００６】
他方、特開２００８−２５４８０６号公報（特許文献３）には、ファーストフード店頭でジュース等の液体飲料やポップコーン等の粒状飲食物を小分け販売し、持ち運びする際やヨーグルト等の半流動体食品の販売に使用されるカップからの零れや漏れを防止し、封被されたカップを開封し易くする容器用蓋が開示されている。
【０００７】
この容器用蓋は、蓋材が略三角形状の厚紙を基材とするものであって、略三角形状の各頂部とその内側に相対向して直線状切り込みを設けられている。
前記各切り込みに連続して斜傾切り込みと、外側縁に達する折込線を設ける。
前記蓋材裏面には、円形板を装着重合すると共に、円形板と蓋材を折込線により折込み折曲し、切り込みと斜傾切り込みを折り曲げにより分け離して形成される天面板及び当接係止片とで容器開口部を封被する。
さらに、蓋材と円形板を連結片で連結し、連結片の上端縁の横手方向に屈曲部を設けることで、カップ状容器からの零れや漏れを防止し、封被されたカップ状容器を開封し易いとう作用効果を奏するとされている。
【先行技術文献】
【特許文献】
【０００８】
【特許文献１】実開平０３−８４７１３号公報（実用新案登録請求の範囲、第５図）
【特許文献２】実公平０２−１２１７８号公報（実用新案登録請求の範囲、第９図）
【特許文献３】特開２００８−２５４８０６号公報（特許請求の範囲、図１〜図６）
【発明の概要】
【発明が解決しようとする課題】
【０００９】
前記特許文献１に記載の持手付き紙容器は、容器本体の開口部に、起伏可能な一対の持手を有する鍔片が、あらかじめ一体的に付設されているものである。
したがって、持手を必要としない場合であっても、容器本体と鍔片はセットで製作されるため、費用対効果の観点からは好ましいものとは言い得ない。
【００１０】
同様に、特許文献２に記載の手提げ式容器用紙蓋も、面倒な紐掛けやテープの粘着および掛紐や粘着テープの取り外しを省略できる効果を奏するとしても、容器本体と蓋体がセットであるので、費用対効果の観点からは好ましいものとは言い得ない。
【００１１】
さらに、これらカップはいずれも小分けされた商品の販売に使用されるもので、大きな容器ではないため、蓋自体も小さなものであって、この小さな蓋体から切り出される持手は、当然のことながら小さなものとならざるを得ず、結果として、持つというより、指で摘まむ、指を掛けるという状態となり、安定して持つことができない。
加えて、蓋自体が小さいので、収納する商品が限定されるとともに、印刷面積がきわめて少なく、意匠面での自由度が非常に低く、生産コストが高くなるので、小ロッドでオリジナル形状のものを生産するのは、現実的でないなど実用上多くの課題を有するものである。
【００１２】
これに対し、特許文献３に記載の容器用蓋は、蓋材に設けた折込み線を折込み、切り込みを折り曲げ分け離して天面板と、当該係止片が形成される容器用蓋を容器に被せることで、容器開口部を天面板と円形板で封被しながら、当該係止片をフランジ部の外周縁直下に係止して、天面板でこの円形板をも押圧して、ヒンジロック係止状態として容器開口部を封被することができる。（段落００１１）
容器開口部の封被を解いて開口するには、三方向のうち一方向を係止する当接係止片を摘み上げるとヒンジロック係止状態が解除され、さらに、隣接する他の二方向の当接係止片のヒンジロック係止状態も連繋解除し、容易に容器開口部の封被を解くことができる。
加えて、この容器用蓋は一枚の厚紙を打ち抜き加工して基材を取得できるので安価に製造できる。（段落００１２）
などの効果を奏するものとされているが、容器本体を携行するための把手については一切考慮されておらず、かつ把手については、なんら開示も示唆も認められない。
【００１３】
このように前記先行技術文献が示すように、カップ本体でなく、蓋に持手部分を形成することや、把手に意匠を施し装飾効果による差別化を図るということは公知であった。
しかして、把手に意匠を施し、装飾効果を挙げることも、特許文献２のような、カステラやデコレーションケーキ等の手提げ式容器においては、把手もそれなりに大きなものとすることができるので、可能となる場合がある。
しかしながら、小さなカップの蓋に付設された小さな把手の場合では、当該蓋に装飾効果を上げるための模様や文字等を表示することは、殆んど不可能なことであった。
【００１４】
この発明はかかる現状に鑑み、小分け販売に使用されるカップへの着脱がきわめて容易で、前記カップの把手としてあるいは吊下げ具として、さらには店頭におけるポップとしても使用でき、意匠的効果も優れたカップ用キャリアを提供せんとするものである。
【課題を解決するための手段】
【００１５】
前記課題を解決する、この発明の請求項１に記載の発明は、
打ち抜きによって形成されるカップ用キャリアであって、
カップ挿入部を有するキャリア主体と、
前記カップ挿入部の相対する縁部外側に、それぞれ折れ線を介して付設される面板と、
前記各面板の他方の縁部に、それぞれ折れ線を介して付設され、かつ両側縁部の立上り部に係着用突起が形成された把手部材と、
前記把手部材のないカップ挿入部の相対する縁部外側に、それぞれ折れ線を介して付設され、かつ前記係着用突起と係合するスリットが形成された面板係着部とからなること
を特徴とするカップ用キャリアである。
【００１６】
この発明の請求項２に記載の発明は、
請求項１に記載のカップ用キャリアにおいて、
前記カップ挿入部は、
角型環状もしくはリング状であること
を特徴とするものである。
【００１７】
この発明の請求項３に記載の発明は、
請求項１に記載のカップ用キャリアにおいて、
前記キャリア主体は、
その内周縁に、文字や模様など表示するためのフラップが付設されていること
を特徴とするものである。
【００１８】
この発明の請求項４に記載の発明は、
請求項１に記載のカップ用キャリアにおいて、
前記突起状の係着用突起は、
前記把手部材の左右の立上り部を、それぞれ内側に傾斜させて傾斜面を形成し、各傾斜面の一部を切欠いて形成されていること
を特徴とするものである。
【００１９】
この発明の請求項５に記載の発明は、
請求項１に記載のカップ用キャリアにおいて、
前記各面板は、
各面板を合わせることによって、適用せんとするカップの開口部全面を覆うことができるよう構成されていること
を特徴とするものである。
【００２０】
この発明の請求項６に記載の発明は、
請求項１に記載のカップ用キャリアにおいて、
前記各面板に付設される把手部材は、
同一形状であるか、もしくはその形状や大きさが異なっていること
を特徴とするものである。
【００２１】
この発明の請求項７に記載の発明は、
請求項１に記載のカップ用キャリアにおいて、
前記キャリア主体は、
角型環状からなるものであって、前記キャリア主体の一内側縁に沿って折れ線を介してフラップが一体的に付設され、このフラップをスプーン保持部としたこと
を特徴とするものである。
【００２２】
この発明の請求項８に記載の発明は、
請求項１に記載のカップ用キャリアにおいて、
前記把手部材は、
ディスプレー用又は手提げ用もしくは紐挿通用の透孔が形成されていること
を特徴とするものである。
【発明の効果】
【００２３】
この発明のカップ用キャリアは、ファーストフード店、アミューズセンターなどの娯楽施設の売店などで小分け販売される商品を収納する、把手を有しないカップの開口部の外側に装着することによって、当該カップの携行を可能としたものである。
特に、この発明においては、携行のための把手部材の形状や大きさについては、なんら制限される要因がないので、任意の大きさの把手を付加することができ、従来のカップ用把手に比して、カップを安定して携行保持することを可能としたものである。
【００２４】
さらに、前記把手部材の形状も任意に形成することができ、かつ、その大きさ（面積）も任意であるため、把手部材に対する模様の形成、意匠性に自由度が高く、カップの装飾を自由に行うことができ、カップに対する関心を高め、延いては、カップに収納された商品の販売向上に大きく寄与する可能性の高いものである。
【００２５】
加えて、特段の制約を受けることなく把手部材を大きくすることができるので、商品を収納した、もしくは収納しない空のカップを自由にディスプレーとして使用することができるとともに、ディスプレーのために吊下げ用の透孔も制約を受けることなく形成することができるので、店頭に展示して商品の購買意欲を一層高めることが可能なものである。
【図面の簡単な説明】
【００２６】
【図１】この発明にかかるカップ用キャリアの一例を示す展開図である。
【図２】この発明にかかるカップ用キャリアの他の一例を示す展開図である。
【図３】図２に示すカップ用キャリアの使用状態を示す斜視図である。
【図４】この発明にかかるカップ用キャリアのさらに他の一例を示す展開図である。
【図５】図４に示すカップ用キャリアの使用状態を示す斜視図である。
【図６】図４に示すカップ用キャリアの他の使用状態を示す斜視図である。
【図７】この発明にかかるカップ用キャリアのさらに他の一例を示す展開図である。
【発明を実施するための形態】
【００２７】
以下、この発明にかかるカップ用キャリアの実施例を、添付の図面に基づいて具体的に説明するが、この発明は以下の実施例にのみ限定されるものではなく、その要旨を変更しない範囲内において種々変更することができるものである。
【００２８】
この発明にかかるカップ用キャリアは、図１、図２および図４に示すように、所要の厚みを有する一枚の板紙ないしポリプロピレンシートを打抜いて構成されるもので、板紙としては厚さ約０．３〜０．５ｍｍ程度のものが、ポリプロピレンシートとしては厚さ約０．３ｍｍ前後のものが用いられる。
【００２９】
図１に示すカップ用キャリア１は、所要の厚みを有する一枚の板紙を、図示のように打抜いて形成するものである。
すなわち、中央部に適用せんとするカップの上端開口部の外形とほぼ等しい形状のカップ挿入部２を有するリング状のキャリア主体３と、このキャリア主体３の外周の上下（もしくは左右）の相対する縁部外側に、それぞれ一体的に付設される半円形状の面板４，４と、前記キャリア主体２の左右（もしくは上下）の相対する外縁部に、それぞれ一体的に付設される面板係着部５，５とから構成されている。
【００３０】
なお、この発明のカップ用キャリア１を適用することのできるカップは、その構成上、上端開口部に外方に延出するフランジを有するものに限られ、フランジを有しないカップには、この発明は適用できない。
【００３１】
前記キャリア主体２は、基本的には、対象たるカップが円形の場合は、当該カップの上端開口部の外径と等しい内径を有するものであるが、円形以外の形状を有するカップ、例えば矩形状のカップもあるので、前記カップ挿入部２は、適用せんとするカップの上端開口部の外形とほぼ等しい形状とするものである。
【００３２】
前記一対の半円形状の面板４，４は、キャリア主体３の、直交する線対称軸２本（図示せず）のうち、１本の水平な線対称軸と平行する折れ線６，６を介して、キャリア主体３の相対する外縁部にそれぞれ一体的に設けられる。
【００３３】
この半円状の面板４は、前記折れ線６を介して内側に折り込むことによって、カップの開口部を閉止する蓋体を構成するもので、その下端縁には折れ線７を介して把手部材８が一体的に付設されている。
【００３４】
前記面板４，４に一体的に付設される把手部材８，８には、それぞれ左右の立上り部を内側に傾斜させて傾斜面８ａ，８ａを形成し、各傾斜面８ａの一部を切欠いて突起状の係着用突起９を形成したものである。
【００３５】
この係着用突起９は、後述する面板係着部５に形成されたスリット１２に係合させることによって、前記キャリア主体３と把手部材８，８とを一体化させ、この把手部材４，４を把持することによって、キャリア主体３に保持されたカップを持ち上げ、持ち運び可能としたものである。
【００３６】
一方、前記水平な線対称軸と交差するキャリア主体３の外縁部には、それぞれ面板係着部５，５が折れ線１０を介して突出形成されている。
前記各面板係着部５の中央部は、ミシン線によって所要幅の切込み部１１が形成されるとともに、その中心部に前記係着用突起９が係合可能なスリット１２がそれぞれ形成されたものである。
【００３７】
なお、前記ミシン線による切込み部１１の上下の端部には、切込みＸを形成し、前記係着用突起９をスリット１２に係着させる際、前記切込みＸが扉状に開くようにすることによって、両者の係着を円滑かつ容易に、しかも確実に行うことができる。
【００３８】
なお、前記把手部材８，８の中央部に形成された三角形状の透孔１３，１３は、販売促進を期するため、カップにスナック食品を収納した状態で、あるいは未収納の状態で、複数のカップを展示もしくはディスプレーとして使用する場合、展示用レールあるいは展示用紐（図示しない）、手提げ用紐を挿通させ、吊下げるために使用されるものである。
【００３９】
さらに、前記面板４，４は、互いに内側に折り畳まれて両者で蓋を構成するものであるので、適用するカップの開口部に応じて一義的にその形状が定められるが、各面板４，４を合わせることによって、適用せんとするカップの開口部全面を覆うことができるよう構成されていればよい。
この面板４，４に付設される把手部材８，８は、その形状や大きさに制限はなく、任意の形状とすることができる。
【００４０】
その際、各把手部材８，８は、基本的に同一形状とするものであるが、両者を同一形状にする必要もなく、模様や意匠を互いに異ならせる、例えば、一面には、幼児の笑い顔で他面は泣き顔を描くことによって、回転させることによる意外性を持たせて、装飾効果を上げることも可能である。
さらに、一面を人気のあるキャラクターの顔形状とし、他面を当該キャラクターの特異な身体形状、例えば、特徴的な足の形状を採用する、というように形状に変化を持たせることもできる。
【００４１】
この発明のカップ用キャリア１は、前記の特徴から、主に、ファーストフード店、コンビニエンスストア、アミューズセンターなどの娯楽施設における売店、繁華街における菓子店などにおいて販売されるスナック食品を小分けして販売する際に好適に使用されるものである。
【００４２】
しかしながら、この発明のカップ用キャリアは、収納する商品はスナック食品に限定されるものではなく、例えば、ハンカチや靴下など身の回り品や、比較的小さなフィギュア、縫いぐるみ人形などの販売においても、前記商品を収納するカップの蓋としても好適に使用することができるものである。
このカップ用キャリアは、当然店舗などで使用している既存のカップにも使用可能なものであるので、アイキャッチとしても有効に機能させることができる。
【００４３】
なお、前記カップ用キャリア１を板紙で形成する場合は、カップ内に高温のコーヒーなどの液体を収納した場合、その蒸気によって板紙自体が湿潤して軟化する場合もあり得るので、かかる液体を収納したカップの場合は、ポリプロピレンシート製のカップ用キャリアが好ましい。
その際、カップの開口部から液漏れのおそれもあるので、面板による密閉性の向上が望まれる。
【００４４】
かかる構成を有するカップ用キャリア１は、使用に際して、容器挿入部２の上方から適用しようとするカップの底部を挿入し、当該カップの開口部に形成されたフランジの下面をキャリア主体３の上面部に当接させる。
ついで、各面板４，４を、折れ線６を利用して内側に折り曲げて各面板４，４の裏面と前記フランジの上面を当接させた状態で、把手部材８，８を折れ線７，７に沿って上方に起立させる。
しかるのちに、各把手部材８，８に形成した係止部９，９を、折れ線１０，１０を介して上方に起立させた面板係着部５のスリット１２，１２に係合させ、カップにカップ用キャリア１を装着するものである。
【実施例】
【００４５】
以下、この発明にかかるカップ用キャリアの具体的な実施例を説明する。
なお、実施例の説明において、前記図１と同様の部位を示すものは、同一の符号を使用して説明する。
【００４６】
＜実施例１＞
図２に示すカップ用キャリア２０は、基本的には、図１に示すカップ用キャリア１と同一の構成を有し、相違する点は、把手部材８にある。
すなわち、このカップ用キャリア２０は、各把手部材８の上縁部に沿って外周部の一部が水平にカットされた円板状の把手本体８ｂを一体的に付設したもので、この把手本体８ｂの中央部にカップに収納される製品を直観させるコーヒーカップとスプーンからなる図柄Ｆが描かれている。
【００４７】
なお、図２では、蓋体を構成する面板４，４に描かれる模様は省略されているが、任意の模様を施すことが可能で、この模様を適宜選択することで、当該面板部４をポップとして、あるいはカップ用キャリア２０の意匠的効果を増大させ、販売促進を図ることができる。
【００４８】
さらに、カップ内に商品を収納することなく、複数のカップの開口部にカップ用キャリア２０をそれぞれ装着し、把手部材８に形成した透孔１３に展示用レールや紐などを挿通し、複数のカップ用キャリア２０を吊下げてディスプレーして、販売促進を期するためのものである。
なお、前記ディスプレーのための透孔１３は、基本的にカップ用キャリア２０の重心線の上部もしくは重心線に沿った位置に形成されるものである。
【００４９】
図３は、前記カップ用キャリア２０を前記カップＨに装着した状態を示すもので、先に述べたように、展開状態にあるカップ用キャリア２０のキャリア主体３に形成されたカップ挿入部２に、その上方から前記カップＨを落とし込み、リング状のキャリア主体３上にカップＨのフランジ（図示せず）を当接させる。
【００５０】
この状態で、折れ線６，６を介してそれぞれ面板４，４を内側に折り曲げるとともに、折れ線７，７を介して把手部材８，８を外側に折り曲げ、各把手部材８，８に付設した係着用突起９，９を面板４，４に対して垂直状態に保持しながら、各折れ線１０，１０を利用して面板係着部５，５を垂直に起立させる。
【００５１】
ついで、前記面板係着部５，５に形成されたスリット１２，１２を相対する把手部材８，８の傾斜面８ａに沿って押圧すると、傾斜面８ａによってスリット１２が押し開かれ、スリット１２と傾斜面８ａの先端部に形成された係着用突起９が係着し、カップＨとカップ用キャリア２０が図３に示すように一体化する。
【００５２】
よって、購入者はカップ用キャリア２０の把手本体８ｂを把持して携行する際、把手本体８ｂが大きく形成されているので、携行が容易で、かつ蓋体を構成する面板４，４や把手部材４に文字、図形などを表示することによって、広告宣伝効果、意匠効果を向上させることができる。
【００５３】
＜実施例２＞
図４に示すカップ用キャリア３０は、カップＨの形態が円筒状ではなく、平面形状が四角形の底の浅い皿状もしくは角錐台状のものに適用するものである。
この実施例２においては、幅約４ｍｍのフランジを開口部に外延させた縦横約８０ｍｍの正方形の開口部と、縦横約６５ｍｍの正方形の底部を有する、発泡ポリエチレンシートからなるものである。
【００５４】
このカップ用キャリア３０は、適用せんとする角錐台状のカップの開口部上部の外形とほぼ等しい内形を有するカップ挿入部２を有する角型環状のキャリア主体３の、相対する縁部に沿って、それぞれ折れ線６，６を介して、角錐台状のカップの開口部を閉止する蓋を構成する面板４，４を一体的に付設するとともに、各面板４，４の他端縁に折れ線７，７を介して把手部材８，８をそれぞれ一体的に付設したものである。
【００５５】
前記把手部材８は、それぞれ折れ線７に近い側縁部を内側に傾斜させて傾斜面８ａを形成するとともに、各傾斜面８ａの一部をそれぞれ切欠いて突起状の係着用突起９を形成したものである。
【００５６】
一方、前記面板４が付設されない側縁側のキャリア主体３の外周縁には、それぞれ面板係着部５，５が折れ線１０を介して突出形成されている。
前記各面板係着部５の中央部は、ミシン線によって所要幅の折込み部１１が形成されるとともに、その中心部に前記係着用突起９が係合可能なスリット１２がそれぞれ形成されたものである。
【００５７】
なお、前記把手部材８は、その形状を富士山に似せた形状とすることによって意匠効果を高めているが、把手部材８の形状は適用するカップに収納される商品との関係で適宜選択されるものであるので、その形状には特段の制限はない。
【００５８】
このカップ用キャリア３０は、カップにプリンやゼリー、さらには和菓子などの商品を収納することを前提としているので、カップ用キャリア３０自体にスプーンを保持部するためのフラップが付設されている。
【００５９】
すなわち、環状のキャリア主体３のいずれかの内側縁、図４では下方の面板４の内側縁に折れ線１４を介してフラップ１５を一体的に付設し、このフラップ１５に切込みを形成してスプーンＳを担持可能としたものである。
【００６０】
なお、前記折れ線６および折れ線１０に平行してそれぞれ折れ線６ａ，折れ線１０ａが形成されているが、これは使用するカップの開口部に囲繞して突出形成される周縁部の高さを吸収するためのものである。
また、符号１３は、カップ用キャリア３０を吊下げて展示するための透孔である。
【００６１】
図５は、図３に示す実施例２と同様の手段で、紙製のカップ用キャリア３０を円錐台状のカップＨａの開口部に装着した状態を示したものである。
したがって、前記スプーンＳを担持したフラップ１５は、面板４によってその表面が覆われるので、保持されたスプーンＳが直接外界に曝されることがない。
なお、このフラップ１５は、前記カップＨａの外側面側に位置させることもできる。
【００６２】
＜実施例３＞
図６で示されるカップ用キャリア４０は、前記実施例２で示すフラップ１５をスプーン担持用とはせずに、カップＨａをキャリア主体３の上方から環状部に挿入するに際し、当該フラップ１５を折れ線１４に沿って下方に折り曲げた状態でカップＨａを環状部に挿入したものである。
【００６３】
したがって、図６に示すように、前記フラップ１５はカップＨａの一側面の表面を覆う状態で外部に顕出することになる。
よって、このフラップ１５の表面を利用して商品表示や宣伝のために使用することができるものである。
【００６４】
＜実施例４＞
図７に示すカップ用キャリア５０は、図１ないし図２に示すカップ用キャリア１又は２と同様に、リング状のキャリア主体３の上下の外周の相対する部位に折れ線６，６を介して付設される半円状の面板４，４を有するもので、この面板４，４に折れ線７，７を介して延設される把手部材８，８の形状を互いに異ならせたものである。
【００６５】
具体的には、上方の把手部材８には、動物キャラクターの顔を描いた大きな補助把手８ｂを延設し、下方の把手部材８には、左右一対の小さな延出部８ｃ，８ｃを設け、その裏面に当該動物の足裏を描いたものである。
したがって、このカップ用キャリア５０をカップに装着した場合、正面からは動物キャラクターの顔が、背面からは当該動物の足裏が看取でき、特に幼児用の商品の販売に適したカップ用キャリア５０とすることができる。
【００６６】
なお、この実施例においては、カップ挿入部２を有するリング状のキャリア主体３を形成する際、打ち抜くカップ挿入部形成用の板紙の一部をキャリア主体３と係着させてフラップ１５とし、カップにカップ用キャリア５０を装着したとき、前記商品説明などが記載されたフラップ１５をカップの外周部に顕出させることによって、広告宣伝効果や意匠性を高めることができる。
【産業上の利用可能性】
【００６７】
この発明にかかるカップ用キャリアは、蓋のない容器（カップ）に各種商品を収納して販売するに際し、必要に応じてカップの開口部に簡単かつ容易に装着することができ、手軽にカップを携行することが可能であるので、商品を小分けして販売する小売業界等のサービス産業で広く利用される可能性の高いものである。
さらに、カップ用キャリアを構成する把手部材や面板、さらにはフラップに各種の装飾を施すことによって、意匠的効果や宣伝広告効果を上げることができ、展示用のディスプレーとしてもきわめて利用価値の高いものである。
【符号の説明】
【００６８】
１          カップ用キャリア
２          カップ挿入部
３          キャリア主体
４          面板
５          面板係着部
６，７      折れ線
８          把手部材
８ａ        傾斜面
９          係着用突起
１０        折れ線
１１        切込み部
１２        スリット
１３        透孔
１５        フラップ
Ｈ          カップ
【図１】
2014009032.tif 000003
【図２】
2014009032.tif 000004
【図３】
2014009032.tif 000005
【図４】
2014009032.tif 000006
【図５】
2014009032.tif 000007
【図６】
2014009032.tif 000008
【図７】
2014009032.tif 000009